(57)【要約】【課題】乾燥粉末の吸入方法の習得を容易にする。【解決手段】吸入装置は、検出部と送信部とを備える。検出部は、管の入口から流入し、ヒトの呼吸による負圧によって管の出口に流出する空気の流速を検出する。送信部は、検出部が検出する流速に基づく情報を送信する。【選択図】図１
2018000271.tif 000002
【特許請求の範囲】
【請求項１】
管の入口から流入し、ヒトの呼吸による負圧によって前記管の出口に流出する空気の流速を検出する検出部と、
前記検出部が検出する前記流速に基づく情報を送信する送信部と
を備える吸入装置。
【請求項２】
前記検出部には、発音部と収音部とが含まれ、
前記発音部は、前記入口から流入する前記空気の前記流速に応じた属性の音を発音し、
前記収音部は、前記発音部が発音する前記音を収音し、
前記検出部は、前記収音部が収音する前記音の前記属性に基づいて、前記流速を検出する
請求項１に記載の吸入装置。
【請求項３】
前記送信部が送信する前記情報とは、前記検出部が検出する前記流速を示す情報である
請求項１又は請求項２に記載の吸入装置。
【請求項４】
前記音の周波数帯域は、ヒトの可聴範囲外である
請求項２又は請求項３に記載の吸入装置。
【請求項５】
前記管の前記空気が通過する領域の静電気の帯電を抑止する帯電抑止部
を備える請求項１から請求項４のいずれか一項に記載の吸入装置。
【請求項６】
前記管は、複数の部材が互いに着脱可能に組み合わされて構成されている
請求項１から請求項５のいずれか一項に記載の吸入装置。
【請求項７】
前記検出部が検出する前記流速と、水平軸に対する前記管の傾きを示す傾き情報とに基づいて、前記管の傾きを検出する傾き検出部を更に備え、
前記送信部は、更に、前記傾き検出部が検出する前記傾き情報に基づく情報を送信する
請求項１から請求項６のいずれか一項に記載の吸入装置。
【請求項８】
前記検出部が検出する前記流速に基づいて、前記ヒトが呼吸した回数を判定する呼吸回数判定部を更に備え、
前記送信部は、更に、前記呼吸回数判定部が判定した回数を示す呼吸回数情報を送信する
請求項１から請求項７のいずれか一項に記載の吸入装置。
【請求項９】
前記検出部が検出する前記流速に基づいて、前記ヒトが呼吸するタイミングを判定する呼吸タイミング判定部を更に備え、
前記送信部は、更に、前記呼吸タイミング判定部が判定した呼吸タイミングを示す呼吸タイミング情報を送信する
請求項１から請求項８のいずれか一項に記載の吸入装置。
【請求項１０】
請求項１から請求項９のいずれか一項に記載の吸入装置と、
前記送信部が送信する前記流速に基づく情報を表示する表示装置と
を備える吸入状態提示システム。
【発明の詳細な説明】
【技術分野】
【０００１】
本発明は、吸入装置及び吸入状態提示システムに関する。
【背景技術】
【０００２】
従来、薬剤などの乾燥粉末を人体内へ導入する乾燥粉末吸入器が知られている（例えば、特許文献１）。
【先行技術文献】
【特許文献】
【０００３】
【特許文献１】特表２００２−５２４１０７号公報
【発明の概要】
【発明が解決しようとする課題】
【０００４】
しかし、乾燥粉末を吸入する方法の習得が難しく、適切な方法による吸入が行われない場合があるという問題があった。
本発明の課題は、乾燥粉末の吸入方法の習得を容易にすることができる吸入装置及び吸入状態提示システムを提供することにある。
【課題を解決するための手段】
【０００５】
本発明の一態様は、管の入口から流入し、ヒトの呼吸による負圧によって前記管の出口に流出する空気の流速を検出する検出部と前記検出部が検出する前記流速に基づく情報を送信する送信部とを備える吸入装置である。
【０００６】
また、本発明の一態様の吸入装置は、前記検出部には、発音部と収音部とが含まれ、前記発音部は、前記入口から流入する前記空気の前記流速に応じた属性の音を発音し、前記収音部は、前記発音部が発音する前記音を収音し、前記検出部は、前記収音部が収音する前記音の前記属性に基づいて、前記流速を検出する。
【０００７】
また、本発明の一態様の吸入装置は、前記送信部が送信する前記情報とは、前記検出部が検出する前記流速を示す情報である。
【０００８】
また、本発明の一態様の吸入装置は、前記音の周波数帯域は、ヒトの可聴範囲外である。
【０００９】
また、本発明の一態様の吸入装置は、前記管の前記空気が通過する領域の静電気の帯電を抑止する帯電抑止部を備える。
【００１０】
また、本発明の一態様の吸入装置は、前記管は、複数の部材が互いに着脱可能に組み合わされて構成されている。
【００１１】
また、本発明の一態様の吸入装置は、前記検出部が検出する前記流速と、水平軸に対する前記管の傾きを示す傾き情報とに基づいて、前記管の傾きを検出する傾き検出部を更に備え、前記送信部は、更に、前記傾き検出部が検出する前記傾き情報に基づく情報を送信する。
【００１２】
また、本発明の一態様の吸入装置は、前記検出部が検出する前記流速に基づいて、前記ヒトが呼吸した回数を判定する呼吸回数判定部を更に備え、前記送信部は、更に、前記呼吸回数判定部が判定した回数を示す呼吸回数情報を送信する。
【００１３】
また、本発明の一態様の吸入装置は、前記検出部が検出する前記流速に基づいて、前記ヒトが呼吸するタイミングを判定する呼吸タイミング判定部を更に備え、前記送信部は、更に、前記呼吸タイミング判定部が判定した呼吸タイミングを示す呼吸タイミング情報を送信する。
【００１４】
本発明の一態様は、吸入装置と、前記通信部が出力する前記流速に基づく情報を表示する表示装置とを備える吸入状態提示システムである。
【発明の効果】
【００１５】
本発明によれば、乾燥粉末の吸入方法の習得を容易にすることができる吸入装置及び吸入状態提示システムを提供することができる。
【図面の簡単な説明】
【００１６】
【図１】吸入状態提示システムの外観構成の一例を示す図である。
【図２】吸入器から噴霧される薬剤と、吸入装置を流れる空気の流れとの関係の一例を示す図である。
【図３】吸入状態提示システムの機能構成の一例を示す図である。
【図４】発音部の特性の一例を示す図である。
【図５】吸入装置の動作の一例を示す流れ図である。
【図６】表示部及び携帯端末が表示する流速に基づく情報を表示する画面の一例を示す図である。
【図７】実施形態に係る吸入装置の構成の一例を示す図である。
【図８】実施形態に係る吸入装置の分割形態の一例を示す図である。
【図９】吸入状態提示システムの機能構成の一例を示す図である。
【図１０】表示部及び携帯端末が表示する流速情報の一例を示す図である。
【図１１】呼吸時傾き検出部が検出する傾きの一例を示す図である。
【発明を実施するための形態】
【００１７】
［第１の実施形態］
［吸入状態提示システム１の外観構成］
以下、図を参照して、第１の実施形態に係る吸入状態提示システムについて説明する。
図１及び図２を参照して、第１の実施形態に係る吸入状態提示システム１の外観構成について説明する。
図１は、吸入状態提示システム１の外観構成の一例を示す図である。吸入状態提示システム１は、吸入装置１０と表示部１１とを備える。
吸入装置１０は、検出部１２と、入口部１３と、出口部１４と、送信部１０４とを備える。また、吸入装置１０は、噴霧器３と結合される。この噴霧器３とは、例えば、加圧式定量噴霧吸入器（ｐＭＤＩ；ｐｒｅｓｓｕｒｉｚｅｄ  Ｍｅｔｅｒｅｄ  Ｄｏｓｅ  Ｉｎｈａｌｅｒ）である。噴霧器３は、ヒトの操作に応じて吸入装置１０の管内に薬剤を噴霧する。
検出部１２は、ヒトの呼吸による負圧によって、入口部１３から吸入管内に流入して、出口部１４に流出する空気の流速を検出する。
以下において各部の位置関係を示す必要がある場合には、ＸＹＺ三次元直交座標系を用いて説明する。このＸＹＺ直交座標系において、Ｘ軸とは、噴霧器３が薬剤を噴霧する方向に平行な軸である。Ｚ軸とは、吸入装置１０の使用状態において鉛直上方向に平行な軸である。また、Ｙ軸とは、Ｘ軸及びＺ軸に直交する軸である。ここに示す各軸と吸入装置１０の各部との位置関係は、一例であって、これに限られない。吸入装置１０の吸入管の軸線はＸ軸と平行にして配置される。つまり、この一例において、吸入装置１０の吸入管の軸線の方向と、噴霧器３が薬剤を噴霧する方向とは平行である。
【００１８】
送信部１０４は、検出部１２が検出する流速に基づく情報を送信する。
表示部１１は、送信部１０４から送信される流速に基づく情報を取得し表示する。
携帯端末２は、受信部２０４と、携帯端末表示部２１１とを備える。受信部２０４は、送信部１０４から送信される流速に基づく情報を取得する。携帯端末２は、受信部２０４が取得した流速に基づく情報を携帯端末表示部２１１に表示する。
ここに示す各情報の詳細については、後述する。
【００１９】
図２は、噴霧器３から噴霧される薬剤ＭＦと、吸入装置１０を流れる空気の流れＡＦとの関係の一例を示す図である。
噴霧器３から吸入装置１０の吸入管内に噴霧された薬剤ＭＦは、吸入管内において、Ｘ軸の負側からＸ軸の正側に向かって拡散される。吸入管内に拡散された薬剤ＭＦは、吸入装置１０の内部に滞留する。ヒトの口によって出口部１４がくわえられた状態でヒトの呼吸によって吸引されると、吸入管内には負圧が生じる。吸入管外部の空気は、このヒトの吸引による負圧によって、入口部１３から吸入管内に流入する。吸入管内に流入した空気は、ヒトの吸引による負圧によって、出口部１４から流出する。このとき、吸入装置１０の内部には、入口部１３から出口部１４に向かう空気の流れＡＦが生じる。この空気の流れＡＦによって、吸入管内の薬剤ＭＦは、出口部１４に移動する。出口部１４に移動した薬剤ＭＦは、出口部１４からヒトの口に向かう空気の流れＡＦ２によって、ヒトの口に吸引される。このとき、空気の流れＡＦの流速や流量が所定の条件を満たすと、薬剤ＭＦが効率よくヒトの肺に到達する。
【００２０】
ところで、吸入管内の空気の流れＡＦの流速や流量が、薬剤ＭＦが効率よくヒトの肺に到達するための所定の条件を満たしているか否かは、そのままではヒトが理解しがたい場合がある。そこで、本実施形態の吸入状態提示システム１は、空気の流れＡＦの流速や流量を提示することにより、薬剤ＭＦが効率よくヒトの肺に到達するための所定の条件を満たしているか否かの判定のための情報を提供する。以下、この吸入状態提示システム１の具体的な機能構成について説明する。
【００２１】
［吸入状態提示システム１の機能構成］
次に、図３を参照して、吸入状態提示システム１の機能構成の一例について説明する。
図３は、吸入状態提示システム１の機能構成の一例を示す図である。
吸入状態提示システム１は、吸入装置１０と、表示部１１とを備える。
吸入装置１０は、検出部１２と、送信部１０４とを備える。
【００２２】
検出部１２は、発音部１０１と、収音部１０２と、演算部１００とを備える。
発音部１０１は、入口部１３から流入する空気の流速に応じた属性の音を発音する。ここで、空気の流速に応じた属性には、空気の流速に応じた音量、及び空気の流速に応じた周波数がある。この一例では、発音部１０１は、空気の流速に応じた大きさの音Ｓを発音する。また、発音部１０１が発音する音Ｓの周波数は、ヒトの可聴範囲外の周波数にすることもできる。
収音部１０２は、発音部１０１が発音する音Ｓを収音する。収音部１０２は、収音した音Ｓを音量情報ＳＶとして出力する。ここで、音量情報ＳＶとは、収音部１０２によって集音された音の大きさを示す情報である。つまり、収音部１０２は、収音した音Ｓの大きさを示す情報と、音量情報ＳＶとして出力する。
【００２３】
演算部１００は、ＣＰＵ（Ｃｅｎｔｒａｌ  Ｐｒｏｃｅｓｓｉｎｇ  Ｕｎｉｔ）を備えており、流速算出部１０３をその機能部として備える。
流速算出部１０３は、収音部１０２が出力する音量情報ＳＶを取得する。流速算出部１０３は、音量情報ＳＶに基づいて、流速情報ＳＦＤを算出する。ここで、図４を参照して音量情報ＳＶと、流速情報ＳＦＤとの関係について説明する。
図４は、発音部１０１の特性の一例を示す図である。上述したように、発音部１０１は、吸入管内の空気の流速ＡＦに応じた音量の音を発音する。収音部１０２は、収音した音の音量に応じて音量情報ＳＶを出力する。ここで、収音部１０２が集音する音の大きさは、吸入管内の空気の流速ＡＦに対応している。
流速算出部１０３は、音量情報ＳＶと、図４に示す音量情報ＳＶ及び流速情報ＳＦＤの関係とに基づいて流速情報ＳＦＤを算出する。流速算出部１０３は、算出した流速情報ＳＦＤを出力する。
一例として、収音部１０２が音量情報ＳＶ１を出力した場合、流速算出部１０３は、音量情報ＳＶ１と、図４に示す音量情報ＳＶ及び流速情報ＳＦＤの関係とに基づいて流速情報ＳＦＤ１を算出する。
つまり、検出部１２は、吸入管の入口から流入し、ヒトの呼吸による負圧によって吸入管の出口に流出する空気の流速を検出する。
なお、吸入装置１０が記憶部（不図示）を備える場合には、流速算出部１０３は、算出した流速情報ＳＦＤをこの記憶部に記憶させてもよい。
【００２４】
送信部１０４は、流速算出部１０３が算出する流速情報ＳＦＤを取得する。送信部１０４は情報を送信する。送信部１０４が送信する情報とは、検出部１２が検出する流速を示す情報である。ここで、検出部１２が検出する流速を示す情報とは、一例として、流速情報ＳＦＤである。すなわち、送信部１０４は、取得した流速情報ＳＦＤを送信する。送信部１０４は、例えば、ＵＳＢ等のデジタル入出力ポートやイーサネット（登録商標）ポート、赤外線通信ポート、ブルートゥース（登録商標）ポート等を含んで構成され、表示部１１及び携帯端末２を含む他の装置と通信を行う。以下の説明では、送信部１０４は、流速情報ＳＦＤを無線信号へ変換し、変換した無線信号を送信する。なお、送信部１０４と表示部１１及び携帯端末２とを有線接続してもよい。この場合、送信部１０４は、取得した流速情報ＳＦＤを電気信号として送信する。
表示部１１及び携帯端末２は、流速情報ＳＦＤを受信する。表示部１１及び携帯端末２は、受信した流速情報ＳＦＤに基づいて画像を生成し表示する。また、表示部１１及び携帯端末２は受信した流速情報ＳＦＤを、表示部１１及び検出部１２がそれぞれ備える記憶部（不図示）に記憶させてもよい。
【００２５】
［吸入装置１０の動作の概要］
次に、図５を参照して、吸入装置１０の動作の概要について説明する。
図５は、吸入装置１０の動作の一例を示す流れ図である。
発音部１０１は、ヒトの呼吸による負圧によって生じる空気の流速に応じた音量の音Ｓを発音する（ステップＳ１１０）。収音部１０２は、発音部１０１が発音した音Ｓを収音する（ステップＳ１２０）。収音部１０２は、収音した音Ｓに基づいて音量情報ＳＶを出力する。流速算出部１０３は、音量情報ＳＶに基づいて流速情報ＳＦＤを算出する（ステップＳ１３０）。流速算出部１０３は、算出した流速情報ＳＦＤを出力する。送信部１０４は流速情報ＳＦＤを取得する。送信部１０４は、取得した流速情報ＳＦＤを送信する（ステップＳ１４０）。
【００２６】
次に、図６を参照して、表示部１１又は携帯端末２が表示する画面の一例について説明する。
図６は、表示部１１又は携帯端末２が表示する流速に基づく情報を表示する画面の一例を示す図である。
図６は、横軸に時間を示し、縦軸にヒトの呼吸による負圧によって生じる空気の流速を示すグラフである。表示部１１又は携帯端末２は、薬剤ＭＦを吸入するのに適した流速を閾値Ｔｈ１として記憶している。薬剤ＭＦを吸入するのに適した流速とは、表示部１１又は携帯端末２は、閾値Ｔｈ１と対応する流速に線Ｌ１を描写する。表示部１１又は携帯端末２は、線Ｌ１と共に受信した流速情報ＳＦＤを取得した時間に応じて描画する。表示部１１又は携帯端末２は、閾値Ｔｈ１を超える流速を検出した部分は、閾値Ｔｈ１を下回る流速を検出した部分の色とは異なる色によって描画してもよい。
なお、吸入装置１０が記憶部を備える場合には、閾値Ｔｈ１がこの記憶部に記憶されていてもよい。この場合には、吸入装置１０の送信部１０４は、表示部１１又は携帯端末２に対して流速情報ＳＦＤと閾値Ｔｈ１とを送信する。
【００２７】
以上説明したように、吸入状態提示システム１は、流速に応じた属性の音を発音する発音部１０１と、発音部１０１が発音する音の属性に基づいて、当該流速を算出する流速算出部１０３とを備える。これにより、吸入装置１０は、入口部１３から流入し、ヒトの呼吸による負圧によって出口部１４に流出する空気の流速を検出する。したがって、吸入装置１０によれば、吸入管内の薬剤ＭＦをヒトが吸引する際の空気の流速を、吸引している患者や吸引方法の指導を行う医療従事者などに提示することができる。
【００２８】
また、吸入装置１０は、送信部１０４を備える。吸入装置１０は検出した流速に基づく情報として流速情報ＳＦＤを、表示部１１及び携帯端末２などの他の装置に出力する。これにより、吸入装置１０に表示機能を備えなくても、吸入管内の薬剤ＭＦをヒトが吸引する際の空気の流速を提示することができる。つまり、吸入装置１０は、自装置に表示機能を備える場合に比べて安価に製造することができる。また、表示部１１及び携帯端末２などの装置は、流速情報ＳＦＤを表示する。これにより、薬剤ＭＦがヒトの肺の奥まで届けるのに適した流速を表示することができる。さらに、表示部１１及び携帯端末２は、流速情報ＳＦＤに基づいて、薬剤ＭＦを吸入した履歴を記録するように構成されてもよい。この場合には、薬剤ＭＦを吸入する患者を担当する医療従事者は、吸入履歴を参照して、患者の指導や治療を行うことができる。医療従事者は、流速情報ＳＦＤに基づいて、患者が適切に薬剤ＭＦを吸入しているか判断することができ、薬剤ＭＦの吸入に適した呼吸の方法の指導などに役立てることができる。
【００２９】
なお、上述した説明では、発音部１０１は、入口部１３から流入する空気の流速に応じて音の大きさ（音量）が変化する笛の場合について説明した。発音部１０１は、空気の流速に応じて周波数特性が変わる笛を用いてもよい。この場合は、流速算出部１０３は、収音部１０２が収音した音Ｓの周波数に基づいて流速を算出すればよい。
また、上述した説明では、発音部１０１が発音する音Ｓは、ヒトの可聴範囲外の周波数帯の音Ｓであるとしたが必須ではない。発音部１０１は、ヒトの可聴範囲外の周波数帯の音Ｓを発音する場合、音Ｓがヒトに聞こえないため吸入時の騒音を抑えることができる。また、吸入するヒトの年齢が高い場合でも、可聴範囲外の周波数帯の音Ｓ静音のため吸入時に音が鳴るという恥ずかしさからの忌避感を感じることなく吸入装置１０を使用できる。また、音Ｓの周波数帯が高いほど、短い距離で音が減衰するため、複数の吸入装置１０同士の音Ｓの混信を抑止することができる。
【００３０】
［第２の実施形態］
次に、図７及び図８を参照して、第２の実施形態に係る吸入装置１０ａの構成について説明する。なお、第１の実施形態と同一の構成及び動作については同一の符号を付してその説明を省略する。
図７は、第２の実施形態に係る吸入装置１０ａの構成の一例を示す図である。
図８は、第２の実施形態に係る吸入装置１０ａの分割形態の一例を示す図である。
吸入装置１０ａは、帯電抑止部ＥＳを備える。帯電抑止部ＥＳは、空気が通過する領域の静電気の帯電を抑止する。
【００３１】
また、吸入装置１０ａは、複数の部材が互いに着脱可能に組み合わされて構成されている。一例として、吸入装置１０ａは、ＸＹＺ直交座標系における、Ｚ方向に脱着可能に組み合わせて構成される。具体的には、吸入装置１０ａは、分割部Ｃ１及び分割部Ｃ２に示す箇所において分割される。この場合、吸入装置１０ａは、部品１０＿１、部品１０＿２及び部品１０＿３の３部品に分割される。部品１０＿１は、噴霧器３と接続される。また、部品１０＿１は、検出部１２、入口部１３及び送信部１０４などを備える。部品１０＿３は弁１５や出口部１４を備える。
【００３２】
次に、吸入装置１０ａは図８に示すように、ＸＹＺ直交座標系におけるＸ軸に平行に脱着可能に組み合わせて構成されてもよい。具体的には、吸入装置１０ａは、分割部Ｃ３に示す箇所において分割される。この場合、部品１０＿４及び部品１０＿５の２部品に分割される。部品１０＿４は、検出部１２、入口部１３及び送信部１０４などを備える。
また、吸入装置１０ａは、管の一部分だけが脱着可能に組み合わせて構成されてもよい。具体的には、吸入装置１０ａは、分割部Ｃ４に示す箇所において分割されてもよい。この場合、吸入装置１０ａから部品１０＿６が取り外すことができる。部品１０＿６は、検出部１２、入口部１３及び送信部１０４などを備える。なお、上述した分割部Ｃ１から分割部Ｃ４までは一例であって、分割可能な箇所や分割方向はこれに限られない。
【００３３】
図７に戻り、吸入装置１０ａには、噴霧された薬剤ＭＦが多く滞留する噴霧エリアＦＡと、非噴霧エリアＮＦＡとがある。噴霧器３から噴霧される薬剤ＭＦは、主に噴霧エリアＦＡに噴霧される。具体的には、噴霧エリアＦＡは、部品１０＿２の一部及び部品１０＿３の内側のエリアである。噴霧エリアＦＡと非噴霧エリアＮＦＡとを分ける線を、境界線ＦＡＬ１及び境界線ＦＡＬ２とする。吸入装置１０ａが備える検出部１２や送信部１０４は、非噴霧エリアＮＦＡに配置される。非噴霧エリアＮＦＡとは、噴霧器３から噴霧された薬剤ＭＦが、直接当たりづらい位置のことである。具体的には、非噴霧エリアＮＦＡとは、部品１０＿１の内側のエリアである。この一例では、非噴霧エリアＮＦＡは、境界線ＦＡＬ１及び境界線ＦＡＬ２の噴霧器３側のエリアである。なお、非噴霧エリアＮＦＡは、噴霧器３に取り付けられる噴霧口（不図示）によって決まる噴霧形状毎に異なる場合がある。
【００３４】
以上説明したように、吸入装置１０ａは、帯電抑止部ＥＳを備える。これにより、管の内側の壁面に、薬剤ＭＦが静電気によって付着することを抑制できる。また、吸入装置１０ａは、複数の部材が互いに着脱可能に組み合わされて構成されている。これにより、吸入装置１０ａは分割することができる。吸入装置１０ａは分割することができるため、容易に清掃することができる。また、吸入装置１０ａが破損した場合や、噴霧器３の噴霧距離が変わる場合に、管の一部分だけを取り換えることによって対応することができる。また、吸入装置１０ａは非噴霧エリアＮＦＡに、検出部１２や送信部１０４を備える。これにより、吸入装置１０ａを水洗いする場合などに、水洗いしてもよい部分と、水洗いすることにより不都合が起きる部分とを分割することができる。つまり、吸入装置１０ａの保守の手間を軽減することができる。
【００３５】
［第３の実施形態］
次に、図９を参照して、第３の実施形態に係る吸入状態提示システム１ａの機能構成の一例について説明する。なお、第１の実施形態及び第２の実施形態と同一の構成及び動作については同一の符号を付してその説明を省略する。
図９は、吸入状態提示システム１ａの機能構成の一例を示す図である。
吸入状態提示システム１ａは、吸入装置１０ｂと、表示部１１ａとを備える。
吸入装置１０ｂは、発音部１０１と収音部１０２と、演算部１００ａと、傾きセンサ１０９と、送信部１０４ａとを備える。
演算部１００ａは、ＣＰＵ（Ｃｅｎｔｒａｌ  Ｐｒｏｃｅｓｓｉｎｇ  Ｕｎｉｔ；セントラルプロセッシングユニット）を備えており、流速算出部１０３と、呼吸回数判定部１０５と、呼吸タイミング判定部１０６と、計数部１０７と、呼吸時傾き検出部１０８とをその機能部として備える。
【００３６】
呼吸回数判定部１０５は、検出部１２が検出する流速に基づいて、ヒトが呼吸した回数を判定する。呼吸回数判定部１０５は、収音部１０２から音量情報ＳＶを取得する。呼吸回数判定部１０５は、取得した音量情報ＳＶに基づいて判定した呼吸回数を、呼吸回数情報ＣＴとして出力する。
呼吸タイミング判定部１０６は、検出部１２が検出する流速に基づいて、ヒトが呼吸するタイミングを判定する。呼吸タイミング判定部１０６は、収音部１０２から音量情報ＳＶを取得する。呼吸タイミング判定部１０６は取得した音量情報ＳＶに基づいて呼吸タイミングを呼吸タイミング情報ＢＴとして判定する。呼吸タイミング判定部１０６は、判定した呼吸タイミング情報ＢＴを出力する。
【００３７】
計数部１０７は、検出部１２が検出する流速に基づいて、ヒトが吸入した薬剤ＭＦの使用回数を判定する。計数部１０７は、収音部１０２から音量情報ＳＶを取得する。計数部１０７は、取得した音量情報ＳＶに基づいてヒトが吸入した薬剤ＭＦの使用回数を使用回数ＳＥＴとして判定する。
【００３８】
傾きセンサ１０９は、水平軸に対する吸入装置１０ｂの傾きを測定し、測定した情報を傾き情報ＳＤとして出力する。
呼吸時傾き検出部１０８（傾き検出部の一例）は、検出部１２が検出する流速と、水平軸に対する管の傾きを示す傾き情報ＳＤとに基づいて、管の傾きを検出する。呼吸時傾き検出部１０８は、傾きセンサ１０９から傾き情報ＳＤを取得する。呼吸時傾き検出部１０８は、収音部１０２から音量情報ＳＶを取得する。呼吸時傾き検出部１０８は、傾き情報ＳＤを出力する。
【００３９】
送信部１０４ａは、流速算出部１０３から流速情報ＳＦＤを取得し、送信する。送信部１０４ａは、呼吸回数判定部１０５から呼吸回数情報ＣＴを取得し、送信する。送信部１０４ａは、呼吸タイミング判定部１０６から呼吸タイミング情報ＢＴを取得し、送信する。送信部１０４ａは、計数部１０７から使用回数ＳＥＴを取得し、送信する。送信部１０４ａは、呼吸時傾き検出部１０８から傾き情報ＳＤを取得し、送信する。
【００４０】
表示部１１ａ及び携帯端末２ａは、送信部１０４ａから流速情報ＳＦＤを受信する。表示部１１ａ及び携帯端末２ａは、受信した流速情報ＳＦＤを表示する。表示部１１ａ及び携帯端末２ａは、送信部１０４ａから呼吸回数情報ＣＴを受信する。表示部１１ａ及び携帯端末２ａは、受信した呼吸回数情報ＣＴを表示する。表示部１１ａ及び携帯端末２ａは、送信部１０４ａから呼吸タイミング情報ＢＴを受信する。表示部１１ａ及び携帯端末２ａは、受信した呼吸タイミング情報ＢＴを表示する。表示部１１ａ及び携帯端末２ａは、送信部１０４ａから使用回数ＳＥＴを受信する。表示部１１ａ及び携帯端末２ａは、受信した使用回数ＳＥＴを表示する。表示部１１ａ及び携帯端末２ａは、送信部１０４ａから傾き情報ＳＤを受信する。表示部１１ａ及び携帯端末２ａは、受信した傾き情報ＳＤを表示する。
【００４１】
次に、図１０を参照して、第３の実施形態に係る吸入状態提示システム１ａの動作の一例について説明する。
図１０は、表示部１１ａ及び携帯端末２ａが表示する流速情報ＳＦＤの一例を示す図である。図１０は、横軸に時間を、縦軸に流速情報ＳＦＤを示すグラフである。図１０には、流速情報ＳＦＤ１から流速情報ＳＦＤｎまでの波形が含まれる。ここで、ｎとは１以上の整数である。
【００４２】
具体的には、呼吸回数判定部１０５は、時刻Ｔ２０から時刻Ｔ２１までの流速情報ＳＦＤ１の変化を、１回目の呼吸Ｂｒ１であると判定する。呼吸回数判定部１０５は、流速情報ＳＦＤ１の変化を呼吸であると判定した場合、呼吸回数情報ＣＴに１を加算する。また、呼吸回数判定部１０５は、時刻Ｔ２２から時刻Ｔ２４までの流速情報ＳＦＤ２の変化を、２回目の呼吸Ｂｒ２であると判定する。呼吸回数判定部１０５は、流速情報ＳＦＤ２の変化を呼吸であると判定した場合、呼吸回数情報ＣＴに１を加算する。呼吸回数判定部１０５は、時刻Ｔ２ｎから時刻Ｔ２ｎ＋２までの流速情報ＳＦＤｎをの変化を、ｎ回目の呼吸Ｂｒｎであると判定する。呼吸回数判定部１０５は、流速情報ＳＦＤｎの変化を呼吸であると判定した場合、呼吸回数情報ＣＴに１を加算する。
なお、これまで呼吸回数判定部１０５は、ヒトの呼吸のうち、吸気の時間と、呼気の時間との両方の時間に基づいて、呼吸回数を計数するとして説明したが、これに限られない。呼吸回数判定部１０５は、ヒトの呼吸のうち、吸気の時間にのみ基づいて、呼吸回数を計数してもよい、具体的には、呼吸回数判定部１０５は、同図に示すように、時刻Ｔ２２０から時刻Ｔ２２１までの間を１回目の呼吸Ｂｒ１と、時刻Ｔ２２２から時刻Ｔ２２３までの間を２回目の呼吸Ｂｒ２、時刻Ｔ２２ｎから時刻Ｔ２２ｎ＋１までの間を、ｎ回目の呼吸Ｂｒｎと、それぞれ判定してもよい。
【００４３】
また、呼吸回数判定部１０５には、予め薬剤ＭＦ毎に適した呼吸回数が記憶されていてもよい。呼吸回数判定部１０５は、薬剤ＭＦ毎に適した呼吸回数を、送信部１０４ａに出力してもよい。送信部１０４ａは、呼吸回数判定部１０５から取得した薬剤ＭＦ毎に適した呼吸回数を送信する。表示部１１ａ及び携帯端末２ａは、薬剤ＭＦ毎に適した呼吸回数を表示するようにしてもよい。また、表示部１１ａ及び携帯端末２ａが備えるスピーカー（不図示）から呼吸回数に合わせて音を出力してもよい。ヒトは、表示部１１ａ及び携帯端末２ａが提示する呼吸回数に基づいて呼吸を行う。なお、薬剤ＭＦ毎に適した呼吸回数は、検出部１２が備える記憶部（不図示）、表示部１１ａ及び携帯端末２ａに記憶されていてもよい。
【００４４】
呼吸タイミング判定部１０６は、流速情報ＳＦＤを検出している間を、ヒトが薬剤ＭＦを吸入したと判定する。呼吸タイミング判定部１０６は、流速情報ＳＦＤを検出していない間を、ヒトが息を吐いたと判定する。具体的には、呼吸タイミング判定部１０６は、図１０に示すような、時刻Ｔ２０から時刻Ｔ２１までの間を、ヒトが薬剤ＭＦを吸入したと判定する。呼吸タイミング判定部１０６は、時刻Ｔ２１から時刻Ｔ２２までの間を、ヒトが息を吐いたと判定する。同様に、呼吸タイミング判定部１０６は、時刻Ｔ２２から時刻Ｔ２３までの間と、時刻Ｔ２ｎから時刻Ｔ２ｎ＋１までの間とを、それぞれヒトが薬剤ＭＦを吸入したと判定する。呼吸タイミング判定部１０６は、時刻Ｔ２３から時刻Ｔ２４までの間と、時刻Ｔ２ｎ＋１から時刻Ｔ２ｎ＋２までの間とを、それぞれヒトが息を吐いたと判定する。  
【００４５】
また、呼吸タイミング判定部１０６には、予め薬剤ＭＦ毎に適した呼吸タイミングを示す情報が記憶されていてもよい。ここで、呼吸タイミングを示す情報には、いつ呼吸をすべきかを示す情報や、呼吸のうちの吸気の時間帯を示す情報、呼気の時間帯を示す情報が含まれる。呼吸タイミング判定部１０６は、薬剤ＭＦ毎に適した呼吸タイミングを、送信部１０４ａに出力する。送信部１０４ａは、薬剤ＭＦ毎に適した呼吸タイミングを送信する。表示部１１ａ及び携帯端末２ａは、薬剤ＭＦ毎に適した呼吸タイミングを表示するようにしてもよい。また、表示部１１ａ及び携帯端末２ａが備えるスピーカー（不図示）から呼吸タイミングに合わせて音を出力してもよい。ヒトは、表示部１１ａ及び携帯端末２ａが提示する呼吸タイミングに基づいて呼吸を行う。なお、薬剤ＭＦ毎に適した呼吸タイミングは、検出部１２が備える記憶部（不図示）、表示部１１ａ及び携帯端末２ａに記憶されていてもよい。
【００４６】
ここで、１日あたりの薬剤ＭＦの吸入セット数が、複数セットであるとして処方される場合がある。例えば朝・昼・夕など、１日あたり３セットの吸入を行うように処方される場合がある。この場合、計数部１０７は、１日あたりの薬剤ＭＦの吸入セット数を計数する。
また、吸入セット１回あたりの薬剤ＭＦの吸入回数が、複数回になる場合がある。例えば、朝に３回吸入、昼に３回吸入、夕に３回吸入するように処方される場合がある。この場合、計数部１０７は、吸入セット１回あたりの薬剤ＭＦの吸入を何回の呼吸によって吸入されたのかを計数する。
具体的には、計数部１０７は、図１０に示す吸入セットＳＥＴ１について、この吸入セットＳＥＴ１あたりの吸入回数を計数する。計数部１０７は、計数した吸入セットＳＥＴ１あたりの吸入回数を、累積吸入回数として記憶する。計数部１０７は、累積吸入回数を送信部１０４ａに対して出力する。送信部１０４ａは、取得した累積吸入回数を表示部１１ａ及び携帯端末２ａに対して出力する。
また、計数部１０７は、１日あたりの吸入セット数の累積値、又は１回あたりの吸入回数の累積値を計数してもよい。
【００４７】
次に、図１１を参照して呼吸時傾き検出部１０８について説明する。
図１１は、呼吸時傾き検出部１０８が検出する傾きの一例を示す図である。
図１１に示す吸入装置１０ｂの中心線ＢＬは、水平線ＨＬに対してＺ軸方向に角度θ分傾いた状態にある。傾きセンサ１０９は、角度θの傾きを検出する。吸入装置１０ｂをくわえたヒトは、吸入装置１０ｂが傾いたまま薬剤ＭＦを吸入すると、規定量の薬剤ＭＦが、目的とする肺などの臓器に到達しない場合がある。そのため、吸入装置１０ｂは角度θを検出し、吸入に適した角度θを表示部１１ａ及び携帯端末２ａに表示させる。
【００４８】
以上説明したように、吸入装置１０ｂは、呼吸回数判定部１０５を備える。これにより、呼吸回数を判定することができる。吸入装置１０ｂは、ヒトが薬剤ＭＦを規定回数吸入したか判定することができる。吸入装置１０ｂは、呼吸タイミング判定部１０６を備える。これにより、吸入装置１０ｂは、適した呼吸のタイミングで薬剤ＭＦを吸入したか判定することができる。また、吸入装置１０ｂは、適した呼吸タイミングを教示することができ、医療従事者が教示する手間を省くことができる。吸入装置１０ｂは、計数部１０７を備える。これにより、吸入装置１０ｂは、薬剤ＭＦをヒトが何回吸入したか計数することができる。つまり、医療従事者は、使用回数ＳＥＴに基づいて薬剤ＭＦが規定回数服用されているか知ることができ、治療に役立てることができる。吸入装置１０ｂは、呼吸時傾き検出部１０８を備える。これにより、吸入装置１０ｂを使用するヒトは、薬剤ＭＦに適した姿勢を知ることができる。また、吸入装置１０ｂを使用するヒトは、適した姿勢の状態で薬剤ＭＦを吸入することにより、薬剤ＭＦが意図した場所に届き、治療効果を高めることができる。
【００４９】
以上、本発明の実施形態を、図面を参照して詳述してきたが、具体的な構成はこの実施形態に限られるものではなく、本発明の趣旨を逸脱しない範囲で適宜変更を加えることができる。
【００５０】
なお、以上に説明した吸入装置１０、吸入装置１０ａ及び吸入装置１０ｂにおける任意の構成部の機能を実現するためのプログラムを、コンピュータ読み取り可能な記録媒体（記憶媒体）に記録（記憶）し、そのプログラムをコンピュータシステムに読み込ませて実行するようにしてもよい。なお、ここでいう「コンピュータシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｃ）−ＲＯＭ等の可搬媒体、コンピュータシステムに内蔵されるハードディスク等の記憶装置のことをいう。さらに「コンピュータ読み取り可能な記録媒体」とは、インターネット等のネットワークあるいは電話回線等の通信回線を介してプログラムが送信された場合のサーバーやクライアントとなるコンピュータシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【００５１】
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムにすでに記録されているプログラムとの組み合わせで実現できるもの、いわゆる差分ファイル（差分プログラム）であってもよい。
【符号の説明】
【００５２】
１，１ａ，１ｂ…吸入状態提示システム、２，２ａ…携帯端末、３…噴霧器、１０，１０ａ，１０ｂ…吸入装置、１１，１１ａ…表示部（表示装置）、１２…検出部、１３…入口部（管の入口）、１４…出口部（管の出口）、１００，１００ａ…演算部、１０１…発音部、１０２…収音部、１０３…流速算出部、１０４，１０４ａ…送信部、１０５…呼吸回数判定部、１０６…呼吸タイミング判定部、１０７…計数部、１０８…呼吸時傾き検出部、１０９…傾きセンサ
【図１】
2018000271.tif 000003
【図２】
2018000271.tif 000004
【図３】
2018000271.tif 000005
【図４】
2018000271.tif 000006
【図５】
2018000271.tif 000007
【図６】
2018000271.tif 000008
【図７】
2018000271.tif 000009
【図８】
2018000271.tif 000010
【図９】
2018000271.tif 000011
【図１０】
2018000271.tif 000012
【図１１】
2018000271.tif 000013